(57)【特許請求の範囲】
【請求項１】
入力された音声メッセージを複数のフォルダに分類して記録媒体に録音すると共に複数の符号化方式でコード化された音声データが各符号化方式に対応するフォルダに記憶された音声記録再生装置に於いて、
上記入力された音声メッセージをコード化して音声データに変換するときの符号化方式を設定する設定手段と、
音声データの符号化方式に応じて、自動的に格納するフォルダを選択する選択手段と、
上記選択手段で選択されたフォルダに上記符号化された音声データを格納する格納手段と、
フォルダを指定する指定手段と、
上記指定手段でフォルダを指定することによって、自動的に指定されたフォルダに対応する符号化方式の音声データ再生方式に切り換える再生方法切り換え手段と、
を具備することを特徴とする音声記録再生装置。
【発明の詳細な説明】
【０００１】
【発明の属する技術分野】
本発明は、音声メッセージを整理して管理することが可能な音声記録再生装置に関するものである。
【０００２】
【従来の技術】
近年、動作モードとして、有料データベース等で配信されている音楽データを再生することが可能な再生専用モード（プレーヤモード）と、音声データを内蔵マイクを用いて内部のメモリに録音し、また、それを再生することができる記録再生モード（音声メモモード、或いはレコーダモード）とを有する音声記録再生装置が製品化されている。
【０００３】
一方で、音声によるスケジュール管理機能を備えた音声記録再生装置が開発されている。例えば、特開２０００−２５９１８６号公報には、日程毎に再生可能なファイルを選択することができるフォルダ機能（スケジュール再生機能）を有したＩＣレコーダが開示されている。
【０００４】
このようなフォルダ機能を有したＩＣレコーダに代表される音声記録再生装置に於いては、記録モードやデータ形式を複数種類扱うことができるものがある。例えば、標準的な音質の録音が可能な録音モード（ＳＰ録音）と、録音音質を下げて長時間録音が可能な録音モード（ＬＰ録音）等である。ユーザは、これらの録音モードを、例えば、長時間に及ぶ会議、音声認識用の口述メモ等、録音する目的に応じて使い分ける。
【０００５】
こうした録音データが記録媒体内の同一の領域に複数存在する場合、これらを整理するために上記フォルダ機能が設けられているもので、上述した公報のような特殊な機能を有したものもある。
【０００６】
【発明が解決しようとする課題】
こうしたフォルダ機能を有している音声記録再生装置に於いても、カレントフォルダ内に録音されたデータが次々と格納されていくが、この場合、異なった録音モードやデータ形式であっても、同じフォルダ内に順次格納されるものであった。
【０００７】
したがって、録音されたデータが非常に多数あるような場合、これらを全て検索して分類するのは、操作回数が多くなり煩わしいものとなる。また、上述したような圧縮された音声データ以外にも、例えば、音楽配信等に適したデータ形式（例えば、ＭＰ３、ＷＭＡ等）が混在する場合も、同様に分類が煩わしいものであった。
【０００８】
したがって本発明は、上記実状に鑑みてなされたものであり、異なった録音モード、或いはデータ形式の音声ファイルを簡便に整理して管理することが可能な音声記録再生装置を提供することを目的とする。
【０００９】
【課題を解決するための手段】
すなわち本発明は、入力された音声メッセージを複数のフォルダに分類して記録媒体に録音すると共に複数の符号化方式でコード化された音声データが各符号化方式に対応するフォルダに記憶された音声記録再生装置に於いて、上記入力された音声メッセージをコード化して音声データに変換するときの符号化方式を設定する設定手段と、音声データの符号化方式に応じて、自動的に格納するフォルダを選択する選択手段と、上記選択手段で選択されたフォルダに上記符号化された音声データを格納する格納手段と、フォルダを指定する指定手段と、上記指定手段でフォルダを指定することによって、自動的に指定されたフォルダに対応する符号化方式の音声データ再生方式に切り換える再生方法切り換え手段と、を具備することを特徴とする。
【００１０】
本発明にあっては、入力された音声メッセージを複数のフォルダに分類して記録媒体に録音すると共に複数の符号化方式でコード化された音声データが各符号化方式に対応するフォルダに記憶された音声記録再生装置に於いて、上記入力された音声メッセージをコード化して音声データに変換するときの符号化方式が設定手段によって設定される。そして、音声データの符号化方式に応じて、自動的に格納するフォルダが選択手段によって選択される。上記選択手段で選択されたフォルダに上記符号化された音声データが、格納手段に格納される。また、フォルダが上記指定手段で指定され、上記指定手段でフォルダを指定することによって、再生方法切り換え手段で自動的に指定されたフォルダに対応する符号化方式の音声データ再生方式に切り換えられる。
【００１１】
【発明の実施の形態】
以下、図面を参照して本発明の実施の形態を説明する。
【００１２】
図１は、本発明の一実施の形態である音声記録再生装置の構成を示したブロック図である。
【００１３】
初めに、音声記録系の各部について説明する。
【００１４】
図１に於いて、この音声記録再生装置は、音声を電気信号に変換するマイク１及び外部マイク等の外部装置からの音声信号を入力するマイクジャックとしてのライン入力端子２を備えている。そして、これらマイク１、ライン入力端子２のうち何れが使用されるかは、端子３ａ、３ｂ、３ｃで構成される入力切換スイッチ（ＳＷ）３によって選択される。
【００１５】
この入力切換スイッチ３は、上記ライン入力端子２に外部装置に接続された端子が接続された場合にはライン入力端子２が選択され、それ以外の場合にはマイク１が選択されるように構成されている。尚、本実施の形態では、マイク１及びライン入力端子２は、何れも音声チャンネルが１つのモノラルでの入力とされている。
【００１６】
入力切換スイッチ３によって選択された音声信号は、プリアンプ４に入力されて増幅される。このプリアンプ４の増幅率或いは電源供給の制御等は、本音声記録再生装置の動作全体を制御する制御回路（ＣＰＵ）２０によって制御されている。プリアンプ４によって増幅された音声信号は、音声信号とデジタル信号との間で信号を変換するステレオコーデック６の入力アンプ６ａに入力される。音声信号は、ここで再度増幅された後に、アナログ信号である音声信号をデジタル信号に変換するＡ／ＤコンバータＲ６ｂ及びＡ／ＤコンバータＬ６ｃに、それぞれ入力される。
【００１７】
そして、ここで音声信号はデジタル音声信号に変換され、デジタルフィルタ６ｄに入力される。尚、ステレオコーデック６自体は、ステレオ信号に対するアナログ信号からデジタル信号への変換、及びデジタル信号からアナログ信号への変換に対応しているので、Ａ／Ｄコンバータも右チャンネル及び左チャンネル用の６ｂと６ｃの２つが備えられている。しかしながら、マイク１またはライン入力端子２がモノラル入力であるため、上述したように、１つの入力信号をそれぞれのＡ／Ｄコンバータ６ｂ及び６ｃの両方に入力するように構成されている。
【００１８】
デジタルフィルタ６ｄでは、上述の音声信号からデジタル音声信号への変換が行われたときに発生するエリアシングノイズと称される不要な量子化ノイズをデジタル音声信号から除去する、といった処理が行われる。そして、量子化ノイズが除去されたデジタル音声信号はデジタル信号処理部（Ｄｉｇｉｔａｌ  Ｓｉｇｎａｌ  Ｐｒｏｃｅｓｓｏｒ；以下ＤＳＰと略記する）２１へ転送される。このＤＳＰ２１では、ＣＰＵ２０の制御の下で、入力されたデジタル音声信号がフレーム単位で所定のフォーマットに従って符号化（圧縮変換）され、符号化データが生成される。
【００１９】
尚、本音声記録再生装置では、Ｄｉｇｌｔａｌ  Ｓｐｅｅｃｈ  Ｓｔａｎｄｅｒｄ（以下ＤＳＳと略記する）と称される符号化方式を用いることとする。また、ＤＳＳ形式では、比較的高音質の標準モード（ＳＰモード）と、該標準モードより音質が若干悪くなるが圧縮率が高く長時間録音に適しているロングモード（ＬＰモード）の２つの録音モードがある。これらのモードの選択は、後述するメニュー釦４５等が操作されることにより行われる。
【００２０】
こうして生成された符号化データは、双方向バストランシーバＩＣ２２を介して、符号化データ記録手段としてのメモリカード２３へ転送される。メモリカード２３は、本音声記録再生装置本体に対して着脱可能なカード形状をした、フラッシュメモリ等の半導体メモリで構成されている。このメモリカード２３は、具体的にはＳｍａｒｔ  Ｍｅｄｉａ（登録商標）等があり、本音声記録再生装置ではこれを用いることとする。
【００２１】
符号化データは、上記双方向バストランシーバＩＣ２２を介したＣＰＵ２０の制御の下で、メモリカード２３内の所定のアドレスに順次書き込まれる。尚、メモリカード２３内に書込まれた符号化データは、ファイルを１つの単位として扱われる（上記ＤＳＳ方式で符号化された符号化データファイルを、以降ＤＳＳファイルと称することとする）。
【００２２】
また、本音声記録再生装置での音声の記録はモノラルで行われるようになっているので、Ａ／ＤコンバータＲ６ｂ側から出力されたデジタル音声信号の符号化データのみ、メモリカード２３に記録されるようになっている。
【００２３】
次に、メモリカード２３に記録された符号化データを再生する際の信号の流れに沿って、再生系の各部について説明する。
【００２４】
先ず、メモリカード２３からＤＳＰ２１へ、符号化データが順次転送される。ＤＳＰ２１に転送された符号化データは、ＣＰＵ２０の制御の下で、所定のフレーム単位でデジタル音声信号に復号化（伸張変換）される。尚、メモリカード２３には、後述するように、ＤＳＳファイル以外の符号化データも記録可能となっている。したがって、ＤＳＰ２１では、メモリカード２３から送られてきた符号化データに対して、どの符号化方式が用いられているのかが判別され、その符号化方式に従って符号化データが復号化される。
【００２５】
ここで、本実施の形態の音声記録再生装置は、マイクロソフト社（登録商標）のＷｉｎｄｏｗｓ  Ｍｅｄｌａ（登録商標）方式（以下、ＷＭＡ方式と略記し、その符号化データファイルをＷＭＡファイルと略記する）、及びＭｏｔｉｏｎ  Ｐｉｃｔｕｒｅ  Ｅｘｐｅｒｔｓ  Ｇｒｏｕｐｅ−１  Ａｕｄｉｏ  Ｌａｙｅｒ３方式（以下、ＭＰ３方式と略記し、その符号化データファイルをＭＰ３ファイルと略記する）、更にＤＳＳ方式の３つの復号化を行うことができるものとする。
【００２６】
復号化されたデジタル音声信号は、ステレオコーデック６へ転送される。転送されたデジタル音声信号は、ステレオコーデック６内のデジタルフィルタ６ｄに於いて、不要な量子化雑音の除去が行われる。その後、左右各チャンネル毎に、Ｄ／ＡコンバータＲ６ｅ及びＤ／ＡコンバータＬ６ｆに於いてデジタル音声信号からアナログの音声信号への変換が行われ、更に出力アンプＲ６ｇ及び出力アンプＬ６ｈで信号の増幅が行われて、ステレオコーデック６から出力される。尚、元の符号化データがモノラルでのデータであった場合には、左右両チャンネルに同じ信号が入力されて処理された後、出力される。
【００２７】
こうして、ステレオコーデック６から出力された左右各チャンネルの音声信号は、互いに連動している出力切換スイッチ８及び９によって、その出力先が切換えられる。上記出力切換スイッチ８及び９は、それぞれ端子８ａ、８ｂ、８ｃ及び９ａ、９ｂ、９ｃを有して構成される。
【００２８】
上記音声信号の出力先には、図示されない外部ヘッドホン等が接続されて、外部の再生機器が用いられて音声信号が再生されるヘッドホン端子Ｒ１２及びヘッドホン端子Ｌ１３と、該音声記録再生装置本体に備えられたスピーカ１５の２つが用意されている。
【００２９】
出力切換スイッチ８及び９が、それぞれ端子８ａ及び９ａ側に切換えられた場合には、出力先としてヘッドホン端子Ｒ１２及びヘッドホン端子Ｌ１３が選択される。そして、ヘッドホンアンプＲ１０及びヘッドホンアンプＬ１１でヘッドホン端子からの出力に合わせた増幅率で音声信号が増幅され、左右各チャンネル毎に出力される。一方、出力切換スイッチ８及び９が、それぞれ端子８ｂ及び９ｂ側に切換えられた場合には、出力先としてスピーカ１５が選択される。尚、スピーカ１５は１つしか本体に内蔵されていないので、音声信号は左右各チャンネルの信号が合成された後に、スピーカアンプ１４によってスピーカ１５に適正な増幅率で増幅され、スピーカ１５から出力される。
【００３０】
また、ＣＰＵ２０には、上述した各ブロックの他にもいくつかの回路等が接続されている。すなわち、ＣＰＵ２０には、表示駆動回路２５を介して表示部２６が接続されると共に、内蔵メモリ２８と、電源回路２９と、操作スイッチ群３０と、データ形式切替スイッチ（ＳＷ）３１と、ＤＳＰ２１と、双方向バストランシーバＩＣ２２と、ＵＳＢドライバ３２を介してＵＳＢ接続端子３３が、それぞれ接続されている。
【００３１】
上記表示部２６は、２色ＬＥＤと、バックライトを有する液晶ディスプレイとにより構成されるもので、本音声記録再生装置の動作状態等を表示する。表示駆動回路２５は、ＣＰＵ２０の制御の下で表示部２６を表示駆動するものである。
【００３２】
上記内蔵メモリ２８は、本体内蔵の書換え可能な不揮発性メモリであるＥＥＰＲＯＭで構成されており、ユーザＩＤ、ＢＥＥＰ音（ＯＮ／ＯＦＦ）の選択設定、データの再生位置等、ＣＰＵ２０に電源が供給されなくなっても記録しておきたい各種設定、パラメータ等を記録している。尚、アラーム再生に於けるアラーム再生の設定時刻及びアラーム再生対象ファイルを特定する情報等も、ここに記憶される。
【００３３】
上記電源回路２９は、本音声記録再生装置を駆動するための電力を供給するための回路であり、図示されないが、バッテリ、バッテリチェック回路、パワーオンリセット回路、昇圧回路、降圧回路及び外部電源接続回路等の電源制御に関する回路を含んでいる。
【００３４】
また、上記操作スイッチ群３０は、詳細は後述するが、本音声記録再生装置の外装に設けられ、各種機能を制御するための操作スイッチである。
【００３５】
更に、本音声記録再生装置は、パーソナルコンピュータ等の外部機器と接続可能である。該音声記録再生装置は、外部機器と接続し、双方向通信を行うことで、例えば、パーソナルコンピュータのハードディスク等に記録されている符号化データファイルをメモリカード２３に転送したり、その逆に、メモリカード２３に記録されている符号化データファイルをパーソナルコンピュータ側の記録媒体に転送したり、或いは、マイク１から入力された音声信号をステレオコーデック６でデジタル音声信号に変換し、ＤＳＰ２１で符号化した符号化データを直接パーソナルコンピュータ側の記録媒体に記録するようにしたりする等、この他にも様々な処理を行うことができるようになる。
【００３６】
上述したパーソナルコンピュータ等の外部機器との通信のために、本実施の形態の音声記録再生装置では、Ｕｎｉｖｅｒｓａｌ  Ｓｅｒｉａｌ  Ｂｕｓ（以下、ＵＳＢと記す）と称されるインターフェースを介して接続するように構成されている。上記ＵＳＢ接続端子３３は、ＵＳＢケーブルに接続するための外部接続端子であり、通信ドライバであるＵＳＢドライバ３２によって制御され、内部バスを介してＣＰＵ２０に接続されている。
【００３７】
また、双方向バストランシーバＩＣ２２は、メモリカード２３の音声記録再生装置側の接続端子（図示せず）と、ＣＰＵ２０及びＵＳＢ接続端子３３との間の接続を遮断するために、バスラインに設けられているものである。これは、外部ＵＳＢ端子３３にＵＳＢケーブルが接続され、ＣＰＵ２０が外部機器と通信しているときに、メモリカード２３の挿入動作が行われてしまった場合に、バスライン間で電気的にショートしてしまい、メモリカード２３やＣＰＵ２０が破損等してしまうことを防止するためのものである。したがって、メモリカード２３が装填されておらず、ＣＰＵ２０が外部機器とＵＳＢ接続端子３３を介して通信しているときには、双方向バストランシーバＩＣ２２は、メモリカード２３の音声記録再生装置側の接続端子と、ＣＰＵ２０との接続を遮断するように構成されている。
【００３８】
ここで、本音声記録再生装置の動作モードについて説明する。
【００３９】
本音声記録再生装置は、２つの動作モードを有している。１つは、マイクやマイクジャック（ライン入力端子）から入力される音声を記録し再生することが可能な第１のモード（以下、レコーダモードと記す）であり、もう１つは、記録動作は行うことができず、記録媒体に記録されている符号化データファイルを再生することに特化した第２のモード（以下、プレーヤモードと記す）である。
【００４０】
本実施の形態の音声記録再生装置に於いては、レコーダモードでは、主としてメッセージメモやディクテーション、会議録音等での使用を想定し、符号化方式は高圧縮で長時間録音に適しているＤＳＳ方式を用いることとする。一方、プレーヤモードでは、主として音楽を聴くことを想定し、高音質な再生が可能なＷＭＡ方式、及びＭＰ３方式の符号化を用いることとする。
【００４１】
つまり、レコーダモードでは、録音モードがＳＰモードとＬＰモード、そして、マイク感度がメッセージメモ等の口述モードと会議モードに分類される。そして、全体としてはＳＰモードで口述モード、ＳＰモードで会議モード、ＬＰモードで口述モード、ＬＰモードで会議モードの４つのモードが選択可能となる。また、プレーヤモードとしては、上述したように、ＷＭＡモードとＭＰ３モードの２つのモードが選択可能である。
【００４２】
図２は、本発明の一実施の形態に於ける音声記録再生装置の外観を示すもので、（ａ）は斜め前方より見た斜視図、（ｂ）は斜め後方より見た斜視図である。
【００４３】
本音声記録再生装置の本体４０の正面の上部には、メイン表示部４１が配置されている。このメイン表示部４１はＬＣＤ表示装置によって構成されており、電池残量、録音モード、ファイル番号、ユーザＩＤ、各種時刻表示、動作状態表示等、様々な表示を行うことができる。また、操作釦を操作したときには、数秒間バックライトが点灯するようになっている。
【００４４】
上記メイン表示部４１の下方には、録音釦４２と、停止釦４３と、インデクス釦４４と、メニュー釦４５と、消去釦４６と、再生音を出力するためのスピーカ４７とが、それぞれ配置されている。また、本体３５の正面より右側側面部には、フォルダ切替釦４９と、再生釦５０と、早戻釦５１及び早送釦５２とが、順次配置されている。更に、本体４０の上面部には、マイク５４と、インジケータ５５と、マイクジャック５６と、ヘッドホンジャック５７と、ボリュームつまみ５８と、記録媒体挿入口５９とが設けられている。
【００４５】
上記録音釦４２は、音声信号の記録の開始を指示するための釦である。また、上記停止釦４３は、本機が録音、再生等の動作中である場合には、それらの動作の停止を指示するための釦である。
【００４６】
上記インデクス釦４４は、レコーダモードの場合に、インデクスマークを記録中或いは再生中の符号化データファイルに付与するための釦である。尚、インデクスマークの記録可能数は、１ファイルにつき１６個以内とする。
【００４７】
また、上記メニュー釦４５は、時計設定、ユーザＩＤの設定等、本音声記録再生装置に関わる各種メニューの設定を行うための釦である。
【００４８】
上記消去釦４６は、早戻釦５１或いは早送釦５２等を用いて選択されている符号化データファイルを、メモリカード２３から消去するための釦である。具体的には、消去したい符号化データファイルを選択して、一度消去釦４６を押すと、メイン表示部４１に消去しようとしている符号化データファイルが点滅表示されるので、点滅表示している間にもう一度消去釦４６を押す、という動作を行う。これにより、所望の符号化データファイルをメモリカード２３から消去することができる。
【００４９】
上記フォルダ切替釦４９は、上述のレコーダモードとプレーヤモードに於いて、押す毎にそれぞれフォルダを切替えるものである。
【００５０】
再生釦５０は、メモリカード２３に記録されている符号化データファイルの再生開始を指示するための釦である。
【００５１】
また、早戻釦５１は、再生中の符号化データファイルの早戻しを行ったり、再生する符号化データファイルの選択を行う際にファイル番号をデクリメントしたり、メニュー設定の際にパラメータをデクリメントしたりするための釦である。更に、早送釦５２は、再生中の符号化データファイルの早送り、或いは早送り再生を行ったり、再生する符号化データファイルの選択を行う際にファイル番号をインクリメントしたり、メニュー設定の際にパラメータをインクリメントしたりするための釦である。尚、上記早戻釦５１と早送釦５２は一体的に構成されており、いわゆるシーソースイッチとなっている。
【００５２】
上記インジケータ５５は、主に再生または記録動作の状態を表示するもので、２色ＬＥＤが用いられている。この場合、再生中には緑色に点灯し、記録中は赤色に点灯するように構成されている。また、このインジケータ５５は、警告表示にも用いられるもので、何らかの理由でユーザに対して警告を発する場合に赤色の点滅表示を行う。
【００５３】
マイク５４は音声信号を入力するための内蔵マイクであり、マイクジャック５６は、外部マイク、或いは外部音声処理装置からの音声信号を入力するためのジャックである。これらの音声信号入力の切換機構は、再生出力の場合と同様、マイクジャック５６にプラグが差し込まれていればマイクジャック５６から音声信号を入力し、プラグが差し込まれていなければマイク５４から音声信号を入力するように構成されている。
【００５４】
上記ヘッドホンジャック５７は、ヘッドホン、外部スピーカ或いは外部音声処理装置に音声信号を出力するためのもので、内部には上記ヘッドホン端子Ｒ１２、ヘッドホン端子Ｌ１３が配置されている。また、スピーカ４７からも再生音を出力することができる。
【００５５】
尚、再生出力の切換機構は、ヘッドホンジャック５７にプラグが差し込まれていればヘッドホンジャック５７を通じて再生信号を出力し、ヘッドホンジャック５７にプラグが差し込まれていなければスピーカ４７から再生音を出力するように構成されている。また、これらヘッドホンジャック５７及びスピーカ４７からは、警告信号または警告音を発生することもできる。
【００５６】
ボリュームつまみ５８は、ヘッドホンジャック５７及びスピーカ４７からの出力レベルを調節するためのものである。また、記録媒体挿入口５９は、メモリカード２３を挿入するために設けられた開口部である。
【００５７】
本音声記録再生装置の本体４０を正面から見て左側側面部には、マイク感度スイッチ６２と、録音モード切換スイッチ６３と、電源ジャック６４が配置されている。また、本体４０の背面側には、メインスイッチ６５と、イジェクトつまみ６６と、電池蓋６７とが設けられている。更に、本体４０の下面部には、外部接続端子６８が設けられている。
【００５８】
上記マイク感度スイッチ６２は、上記マイク５４の入力レベルを設定するためのスイッチで、高感度（会議モード）と低感度（口述モード）との間で切換えが可能である。また、録音モード切換スイッチ６３は、レコーダモードに於ける録音モードを切換えるためのスイッチで、ＳＰモードとＬＰモードとを切換可能である。
【００５９】
上記メインスイッチ６５は、本音声記録再生装置の動作をオン／オフするスイッチである。また、この電源スイッチ６５は、オン状態に於いてイジェクトつまみ６６と機械的に係合して、メモリカード２３を取り出すことができないように構成されている。
【００６０】
イジェクトつまみ６６は、上記記録媒体挿入口５９から挿入されているメモリカード２３を取り出すためのものである。更に、電池蓋６７は、図示されない電池室を覆っている蓋である。
【００６１】
また、上記外部接続端子６８は、パーソナルコンピュータ等の外部機器に接続して通信を行うための端子である。本音声記録再生装置では、ＵＳＢ端子を用いることとする。
【００６２】
尚、上述した各種操作釦は押釦スイッチとなっており、押圧の操作でスイッチ状態がオンとなるように構成されているものとする。
【００６３】
次に、図３を参照して、本音声記録再生装置に用いられているメモリカード２３に、どのようにデータが記録されているのかについて説明する。
【００６４】
メモリカード２３のルートには、ＳＰ・会議モードフォルダ７１ａ、ＳＰ・口述モードフォルダ７１ｂ、ＬＰ・会議モードフォルダ７１ｃ、ＬＰ口述モードフォルダ７１ｄとの４つのＤＳＳファイルフォルダと、音楽用のＭＰ３モードフォルダ７２、ＷＭＡモードフォルダ７３と、曲順データフォルダ７４とが記録されている。
【００６５】
上記フォルダ７１ａ〜７１ｄは、ＤＳＳファイル７５を格納しておくためのフォルダである。レコーダモードでは、これらのＤＳＳファイル７５を簡便に整理して管理するために上述したＳＰ・会議モードフォルダ７１ａ、ＳＰ・口述モードフォルダ７１ｂ、ＬＰ・会議モードフォルダ７１ｃ、ＬＰ口述モードフォルダ７１ｄの４つのフォルダが設けられている。
【００６６】
上記ＤＳＳファイル７５は、レコーダモードにて再生が可能である。また、記録時には、選択されたモードに応じて、上記フォルダ７１ａ〜７１ｄの何れかにＤＳＳファイル７５が作成される。上記ＤＳＳファイル７５の再生の順番は、それぞれフォルダ毎に、テーブルデータとして再生順データファイルに記録されている。
【００６７】
上記フォルダ７１ａ〜７１ｄは、更に、各フォルダのフォルダ名データファイル７６、リカバリーデータファイル７７及びテーブルデータファイル７８を有している。更に、テーブルデータファイル７８は、ＭＰ３モードフォルダ７２、ＷＭＡモードフォルダ７３にも設けられている。
【００６８】
上記フォルダ名データファイル７６は、メイン表示部４１に表示される表示名と上記フォルダ７１ａ〜７１ｄを対応付けさせるためのデータが記録されている。
【００６９】
また、リカバリーデータファイル７７は、何らかの理由で、上記フォルダ７１ａ〜７１ｄ内のデータが破壊されてしまったときに復旧を行うためのデータが記録されているファイルである。
【００７０】
上記テーブルデータファイル７８は、上述した各ファィルがメモリ領域中の先頭クラスタ（アドレス）や終端クラスタの情報が記録される。
【００７１】
上記音楽用のＭＰ３モードフォルダ７２は拡張子にｍｐ３を、ＷＭＡモードフォルダ７３は拡張子にｗｍａを有しており、これらがＭＰ３方式或いはＷＭＡ方式で符号化された音楽データファィルであることを示している。そして、これらは上述のプレーヤモードで再生が可能な符号化データファイルである。
【００７２】
曲順データフォルダ７４は、上述のプレーヤモードで再生が可能な符号化データファイル（ＭＰ３モードフォルダ７２、ＷＭＡモードフォルダ７３）の再生の順番をテーブルデータとして有しているファイルである。プレーヤモードで上記符号化データファイルの再生の順番を変えたい場合には、この曲順データフォルダ７４をＣＰＵ２０の制御により書換える。
【００７３】
次に、図４のフローチャートを参照して、本音声記録再生装置の動作について説明する。
【００７４】
図４は、本音声記録再生装置のメインの動作を説明するフローチャートである。
【００７５】
電池の装填等により電源が各回路に供給されると動作が開始され、先ず、ステップＳ１にて、メモリ内のクリア、各種パラメータ設定、ハードリセット等の初期設定が行われる。続いて、ステップＳ２に於いて、現在設定されている動作モードがレコーダモードであるのか、或いはプレーヤモードであるのかが検出される。具体的には、フォルダ切替釦４９によって何れのモードに設定されているかが、ＣＰＵ２０によって検出される。その結果、レコーダモードの場合はステップＳ３へ、プレーヤモードの場合はステップＳ１３へ移行する。
【００７６】
ステップＳ３では、録音モード（ＳＰ／ＬＰ）やマイク感度、表示モード、ファイルナンバ等の環境設定が行われる。次いで、ステップＳ４にて、再生釦（ＰＬＡＹ  ＳＷ）５０の状態が検出される。ここで、再生釦５０がオンされていない場合はステップＳ６へ移行する。一方、再生釦５０がオンされている場合は、ステップＳ５へ移行して再生処理が行われ、その後ステップＳ６に移行する。
【００７７】
ステップＳ６では、録音釦（ＲＥＣ  ＳＷ）４２の状態が検出される。ここで、録音釦４２がオンされていない場合はステップＳ８に移行し、オンされている場合はステップＳ７へ移行する。このステップＳ７では、詳細を後述するサブルーチン「録音処理」が実行される。その後、ステップＳ８へ移行する。
【００７８】
ステップＳ８では、メニュー釦（ＭＥＮＵ  ＳＷ）４５の状態が検出される。ここで、メニュー釦４５がオンされていなければステップＳ１０へ移行し、オンされていればステップＳ９へ移行する。そして、ステップＳ９では、レコーダモードに関する各種設定を行うレコーダメニュー設定処理が実行される。その後、ステップＳ１０へ移行する。
【００７９】
このステップＳ１０では、上述した再生釦５０、録音釦４２、メニュー釦４５、フォルダ切替釦４９以外の各種操作釦（操作スイッチ）が操作されたか否かが検出される。ここで、上記各種操作釦が操作された場合は、ステップＳ１１に移行してその操作釦の操作に応じた処理が実行される。
【００８０】
そして、ステップＳ１２に於いては、フォルダ切替釦（ＦＬ  ＳＷ）４９の状態が検出される。ここで、フォルダ切替釦４９がオンされなければ、上記ステップＳ４へ移行する。一方、フォルダ切替釦４９がオンされたならば、続くステップＳ２１にて、該フォルダ切替釦４９がオンされる毎に、カレントフォルダが切換えられる。
【００８１】
すなわち、上述したように、現在の設定がレコーダモードの場合は、ＳＰ・口述フォルダ→ＳＰ・会議フォルダ→ＬＰ・口述フォルダ→ＬＰ・会議フォルダ→ＳＰ・口述フォルダ→…と、カレントフォルダがサイクリックに切替わる。
【００８２】
これに対し、上記ステップＳ２にて、現在設定されているのがプレーヤモードであると判断された場合は、ステップＳ１３に移行して、表示モード、ファイルナンバ等の環境設定が行われる。次いで、ステップＳ１４にて、再生釦（ＰＬＡＹ  ＳＷ）５０の状態が検出される。ここで、再生釦５０がオンされていない場合はステップＳ１６へ移行する。一方、再生釦５０がオンされている場合は、ステップＳ１５へ移行して再生処理が行われ、その後ステップＳ１６に移行する。
【００８３】
ステップＳ１６では、メニュー釦（ＭＥＮＵ  ＳＷ）４５の状態が検出される。ここで、メニュー釦４５がオンされていなければステップＳ１８へ移行し、オンされていればステップＳ１７へ移行する。そして、ステップＳ１７では、プレーヤモードに関する各種設定を行うプレーヤメニュー設定処理が実行される。その後、ステップＳ１８へ移行する。
【００８４】
このステップＳ１８では、上述した再生釦５０、録音釦４２、メニュー釦４５、フォルダ切替釦４９以外の各種操作釦（操作スイッチ）が操作されたか否かが検出される。ここで、上記各種操作釦が操作された場合は、ステップＳ１９に移行してその操作釦の操作に応じた処理が実行される。
【００８５】
そして、ステップＳ２０に於いては、フォルダ切替釦（ＦＬ  ＳＷ）４９の状態が検出される。ここで、フォルダ切替釦４９がオンされなければ、上記ステップＳ１４へ移行する。一方、フォルダ切替釦４９がオンされたならば、続くステップＳ２１にて、該フォルダ切替釦４９がオンされる毎に、カレントフォルダが切換えられる。
【００８６】
すなわち、上述したように、現在の設定がプレーヤモードの場合は、フォルダ切替釦４９が押される毎に、ＭＰ３モードとＷＭＡモードとが交互に切替えられる。
【００８７】
そして、ステップＳ２１の後は、上記ステップＳ２へ移行する。
【００８８】
次に、図５のフローチャートを参照して、図４のフローチャートに於けるステップＳ７のサブルーチン「録音処理（ＲＥＣ）」の動作について説明する。
【００８９】
この録音処理のサブルーチンに入ると、先ず、ステップＳ３１に於いて、録音モードの状態が検出される。ここで、録音モードがＳＰモードである場合はステップＳ３２へ移行し、ＬＰモードである場合はステップＳ３３へ移行する。
【００９０】
ステップＳ３２では、マイク感度が検出される。その結果、マイク感度が会議モードである場合はステップＳ３４へ移行し、口述モードの場合はステップＳ３５へ移行する。
【００９１】
すなわち、ステップＳ３４はＳＰモードで且つ会議モードが選択された場合、ステップＳ３５はＳＰモードで且つ口述モードが選択された場合である。したがって、ステップＳ３４では、ＳＰ・会議フォルダ７１ａが、録音先のフォルダとして選択される。同様に、ステップＳ３５では、ＳＰ・口述フォルダ７１ｂが、録音先のフォルダとして選択される。
【００９２】
また、上記ステップＳ３１にてＬＰモードであるとされた場合は、ステップＳ３３にて、上記ステップＳ３２と同様にマイク感度が検出される。その結果、マイク感度が会議モードである場合はステップＳ３６へ移行し、口述モードの場合はステップＳ３７へ移行する。
【００９３】
すなわち、ステップＳ３６はＬＰモードで且つ会議モードが選択された場合、ステップＳ３７はＬＰモードで且つ口述モードが選択された場合である。したがって、ステップＳ６４では、ＬＰ・会議フォルダ７１ｃが、録音先のフォルダとして選択される。同様に、ステップＳ３７では、ＬＰ・口述フォルダ７１ｄが、録音先のフォルダとして選択される。
【００９４】
上記ステップＳ３４〜Ｓ３７にて、録音先のフォルダが選択されると、続くステップＳ３８にて録音が開始される。そして、ステップＳ３９にて、メモリカード２３のメモリ残量が検出される。
【００９５】
ここで、メモリの容量に余裕がなければステップＳ４１へ移行する。一方、メモリの容量に余裕があるならば、ステップＳ４０に移行して停止釦（ＳＴＯＰ  ＳＷ）４３の状態が検出される。そして、停止釦４３がオンされていなければ上記ステップＳ３９へ移行し、オンされていればステップＳ４１へ移行する。
【００９６】
ステップＳ４１では、上述したモードでの録音動作の処理が終了される。その後、本ルーチンが終了する。
【００９７】
尚、上記ステップＳ３８の録音が開始される前の段階で、フォルダは選択されたフォルダに切替わっているため、ステップＳ４１で録音が終了した後も、すぐにプレイバックすることができるように、このフォルダはカレントフォルダのままにされる。つまり、録音処理のサブルーチンが実行される前のフォルダには戻されないようにする。
【００９８】
このように、音声メッセージを録音する際の環境に応じてフォルダを選択して格納することにより、異なった録音モード、或いはデータ形式の音声ファイルを簡便に整理して管理することが可能になる。
【００９９】
尚、本発明の上記実施の形態によれば、以下の如き構成を得ることができる。
【０１００】
すなわち、
（１）  複数のフォルダを有する記録媒体と、
複数の形式の音声データを上記複数のフォルダに選択して記録する記録手段と、
上記フォルダに記録された音声データを再生する再生手段と、
を備える音声記録再生装置に於いて、
上記複数のフォルダは、該音声記録再生装置が、録音若しくは再生可能な音声形式音声データの形式毎に用意されていることを特徴とする音声記録再生装置。
【０１０１】
（２）  上記音声データを記録する場合に該音声データのデータ形式、若しくは録音情報を自動的に判別し、用意されている記録媒体上のフォルダ群から記録されるべきフォルダを自動的に選択し記録することを特徴とする上記（１）に記載の音声記録再生装置。
【０１０２】
（３）  音声データ形式毎に用意されている複数のフォルダを選択することによって、自動的に音声データ再生方式が切り換えられることを特徴とする上記（１）に記載の音声記録再生装置。
【０１０３】
【発明の効果】
以上のように本発明によれば、異なった録音モード、或いはデータ形式の音声ファイルを簡便に整理して管理することが可能な音声記録再生装置を提供することができる。
【図面の簡単な説明】
【図１】本発明の一実施の形態である音声記録再生装置の構成を示したブロック図である。
【図２】本発明の一実施の形態に於ける音声記録再生装置の外観を示すもので、（ａ）は斜め前方より見た斜視図、（ｂ）は斜め後方より見た斜視図である。
【図３】本発明の一実施の形態に於ける音声記録再生装置に用いられているメモリカード２３に、どのようにデータが記録されているのかについて説明する図である。
【図４】本発明の一実施の形態に於ける音声記録再生装置のメインの動作を説明するフローチャートである。
【図５】図４のフローチャートに於けるステップＳ７のサブルーチン「録音処理（ＲＥＣ）」の動作について説明するフローチャートである。
【符号の説明】
１  マイク、
２  ライン入力端子、
３  入力切換スイッチ（ＳＷ）、
４  プリアンプ、
６  ステレオコーデック、
８  出力切換スイッチ（ＳＷ）Ｒ、
９  出力切換スイッチ（ＳＷ）Ｌ、
１０  ヘッドホンアンプＲ、
１１  ヘッドホンアンプＬ、
１２  ヘッドホン端子Ｒ、
１３  ヘッドホン端子Ｌ、
１４  スピーカアンプ、
１５  スピーカ、
２０  制御回路（ＣＰＵ）、
２１  デジタル信号処理部（ＤＳＰ）、
２２  双方向バストランシーバＩＣ、
２３  メモリカード、
２５  表示駆動回路、
２６  表示部、
２８  内蔵メモリ、
２９  電源回路、
３０  操作スイッチ群、
３２  ＵＳＢドライバ、
３３  ＵＳＢ接続端子、
４０  本体、
４１  メイン表示部、
４２  録音釦、
４３  停止釦、
４４  インデクス釦、
４５  メニュー釦、
４６  消去釦、
４７  スピーカ、
４９  フォルダ切替釦、
５０  再生釦、
５１  早戻釦、
５２  早送釦、
５４  マイク、
５５  インジケータ、
５６  マイクジャック、
５７  ヘッドホンジャック、
５８  ボリュームつまみ、
５９  記録媒体挿入口、
６２  マイク感度スイッチ、
６３  録音モード切換スイッチ、
６４  電源ジャック、
６５  メインスイッチ、
６６  イジェクトつまみ、
６７  電池蓋、
６８  外部接続端子。
【図１】
0003963701.tif 000002
【図２】
0003963701.tif 000003
【図３】
0003963701.tif 000004
【図４】
0003963701.tif 000005
【図５】
0003963701.tif 000006